(57)【要約】【課題】  建築構造物の外壁面に対し、化粧煉瓦を効率良く、且つ安全に取付ける。【解決手段】  一定高さと長さ寸法を有する金属製長尺板体の下端縁をＵ字状に折り曲げた突起体を形成した係止金具と、一定肉厚で長方形をなした板体の前面側上部に対し、その長さ方向に沿って一定巾寸法で断面Ｌ字形の切欠壁を設け、背面側は下部をその長さ方向に沿って一定巾寸法の段部に形成し、且つ該段部の隅角箇所に長さ方向へ沿って一定巾寸法の上向き切溝を穿設したものとなした化粧煉瓦とからなり、該化粧煉瓦の切溝に上記係止金具のＵ字状に折り曲げた突起体を嵌入係合させる。【選択図】      図３
2007070849.tif 000002
【特許請求の範囲】
【請求項１】
一定高さと長さ寸法を有する金属製長尺板体の下端縁をＵ字状に折り曲げた突起体を形成した係止金具と、一定肉厚で長方形をなした板体の前面側上部に対し、その長さ方向に沿って一定巾寸法で断面Ｌ字形の切欠壁を設け、背面側は下部をその長さ方向に沿って一定巾寸法の段部に形成し、且つ該段部の隅角箇所に長さ方向へ沿って一定巾寸法の上向き切溝を穿設したものとなした化粧煉瓦とからなり、該化粧煉瓦の切溝に上記係止金具のＵ字状に折り曲げた突起体を嵌入係合させることを特徴とする化粧煉瓦の取付け工法。
【請求項２】
係止金具の長尺板体の上方部に対し、その長さ方向に沿うスリットの複数箇を穿設し、該スリットを使用して係止金具を外壁面にネジ止めを行うと共に、上記化粧煉瓦を該係止金具を介し外壁面から一定間隙を形成するようにして取付けるものとなすことを特徴とする請求項１記載の化粧煉瓦の取付け工法。
【請求項３】
化粧煉瓦の背面側中央付近に対し、その長さ方向に沿って一定巾寸法で浅い凹部を形成すると共に、該溝部と外壁面との間に上記係止金具の止めネジ頭が位置するようなしたことを特徴とする請求項２記載の化粧煉瓦の取付け工法。
【発明の詳細な説明】
【技術分野】
【０００１】
本発明は建築物の外壁に化粧煉瓦を取付ける工法に関する。
【背景技術】
【０００２】
建築構造物に於ける外壁面に耐候性塗料を塗布した金属製の長尺板材や同合成樹脂板材などを使用したり、既存設備の壁材面に取付けてリフォームしたりすることは行われている。又、上記長尺板材の他にタイルやレンガ等を貼り付けたりすることも行われている。
【特許文献１】実開平５−８９６２１号
【発明の開示】
【発明が解決しようとする課題】
【０００３】
従来に於ける金属製或いは合成樹脂製の長尺板材は作業性に優れるものの重厚感や自然美に乏しい。これに対しタイルやレンガ等に貼り付ける作業は重厚感や自然美に溢れるものであるが、作業性に劣りコスト高となっている。
本発明は上記問題点を解決せんとするものである。
【課題を解決するための手段】
【０００４】
本発明は、一定高さと長さ寸法を有する金属製長尺板体の下端縁をＵ字状に折り曲げた突起体を形成した係止金具と、一定肉厚で長方形をなした板体の前面側上部に対し、その長さ方向に沿って一定巾寸法で断面Ｌ字形の切欠壁を設け、背面側は下部をその長さ方向に沿って一定巾寸法の段部に形成し、且つ該段部の隅肉箇所に長さ方向へ沿って一定巾寸法の上向き切溝を穿設するものとなした化粧煉瓦とからなり、該化粧煉瓦の切溝に上記係止金具のＵ字状に折り曲げた突起体を嵌入係合させるものとする。
【０００５】
このさい、係止金具の長尺板体の上方部に対し、その長さ方向に沿うスリットの複数箇を穿設し、該スリットを使用して係止金具を外壁面にネジ止めを行うと共に、上記化粧煉瓦を該係止金具を介し外壁面から一定間隙を形成するようにして取付けるものとなすのであり、また化粧煉瓦の背面側中央付近に対し、その長さ方向に沿って一定巾寸法で浅い凹部を形成すると共に、該溝部と外壁面との間に上記係止金具の止めネジ頭が位置するようなしたものとする。
【発明の効果】
【０００６】
本発明は特殊構成の化粧煉瓦を同じく特殊構成の係止金具により組合せ使用し、安全且つ迅速に取付け作業の行えるものとなすのであり、具体的には化粧煉瓦は一定肉厚の長方形板体の前面側上部に対し、その長さ方向に沿って一定巾寸法で断面Ｌ字形の切欠壁を設けたものとなしてあり、また背面側の下部にはその長さ方向に沿って一定巾寸法の段部を形成し、且つ該段部の隅角箇所に長さ方向へ沿って一定巾寸法の上向き切溝を穿設したものとなした構成であり、該構成の化粧煉瓦の上記切溝に対し、金属製長尺板体の下端部をＵ字状に折り曲げて構成した係止金具の上記Ｕ字状突起体を嵌入係合させて取付けるのであり、このさい外壁面へ止着させた係止金具との間に一定の間隙が形成されるようになしてあり、且つ該間隙内へ上記係止金具の止めネジ頭が位置して安定的に保持されるようになされる。このことは本発明では係止金具の止めネジとして強度の大なるものを使用し、例えその頭部が板体上面から大きく飛び出るようなことがあっても、何ら支障のないものとなるのであり、またその取付けも横方向へ比較的長いスリット内で適宜位置設定しながら行えるようになしてあるため、従来のものに比べて適材適所へ適確に行うことができるものとなる。
【０００７】
他方、本発明の化粧煉瓦の前面側上部に対し、その長さ寸法に沿って一定巾寸法で断面Ｌ字状の切欠壁を形成し、且つ背面側下部にその長さ方向へ沿って一定巾寸法の段部を形成したものとなしてあることは、該化粧煉瓦の取付けにさいし、その上下方向で前面壁のＬ字状切欠壁に対し背面側の段部が重なり合い、このさい上方の化粧煉瓦の重量が全体的には係止金具のＵ字状突起体で支持されるものとなるほか、その垂直方向で下方箇所に於ける化粧煉瓦に形成したＬ字状切欠壁と当接するＬ字状の段部で係合状態になって支持されるものとなり、二重に安全な支承状態を形成したものとなされるのである。なお、上記Ｌ字状切欠壁による重なり部は下向きに形成されるものとなっているため、風雨による水滴などが逆流して外壁側へ流入したりすることのないものであり、且つ該Ｌ字状切欠壁の構成は従来品の使用で必要な煉瓦間のコーキング作業を不用となすことができるものとなる。
【発明を実施するための最良の形態】
【０００８】
図１は本発明で使用する化粧煉瓦１を示すものであって、Ａは正面図、Ｂは背面図、Ｃは断面図である。本図から明らかな通り一定肉厚ｔで長方形となされる化粧煉瓦１の前面側上部には、その長さ方向に沿って一定巾寸法で断面Ｌ字形の切欠壁１ａが形成されたものとなされており、背面側は下部にその長さ方向へ沿って一定巾寸法の段部１ｂが形成されたものとなされる。而して、該段部の隅角箇所ｍには長さ方向へ沿って巾寸法を１〜２ｍｍとなした切溝２を上向きに穿設したものとなされる。３は背面側の中央付近に於ける長さ方向に沿い、一定巾寸法で穿設した比較的浅い凹部であり、該部には次述する係止金具の止めネジの頭部が位置され、強度的に優れる比較的大きな止めネジの使用を可能にしたり、またボンドなどの接着剤使用に於ける安定的な貼着効果が図れるものとなる。このさい、上記に於ける化粧煉瓦の肉厚ｔは１．５ｃｍ、高さｈは７．５ｃｍ、長さＬは２０ｃｍ〜２２ｃｍとなされるのである。
【０００９】
図２は上記構成の化粧煉瓦１を建築構造部の外壁面に対し、支承するための係止金具４を示す斜視図である。該係止金具は肉厚寸法ｔ’を１ｍｍ〜２ｍｍ程度になした金属製の長尺板体であって、その高さ寸法ｈ’は３ｃｍ〜６ｃｍ、長さ寸法Ｌ’は８０ｃｍ〜１２０ｃｍとなされると共に、その下端には溝巾５ｍｍ〜１０ｍｍで且つ先端突起体の高さ寸法を５ｍｍ〜１０ｍｍとなしたＵ字体４ａを形成したものとなされており、また長尺板体の上方部分には溝巾５ｍｍで凡そ１０ｃｍの長さ寸法のスリット４ｂが、その長さ方向に沿わせて両端箇所と中央箇所に設けたものとなされている。
【００１０】
図３は上記係止金具４を使用して前述の化粧煉瓦１を建築構造物５の外壁面に対し止着させる作業説明図であって、５ａ，５ｂ，５ｃ，５ｄ，・・・は支柱、６は壁面板である。本発明では初めに長尺の係止金具４を壁面板６や本柱５或いは間柱５ａ，５ｂ，５ｃ，・・・などに対し、適宜止めネジや釘７などを使用して止着させるのであり、このさいその取付けられた止めネジや釘７などは上記化粧煉瓦１の裏面側に於ける中央付近に形成した凹部３と対応一致するようになされるのであり、従来品と比べ強度に優れる大きな止めネジなどの使用が可能となり、即ちその頭部が化粧煉瓦の裏面側と接触して干渉し合うようなことの無いものとなる。また、その取付けにさいしスリット４ｂがその長さ方向に沿って比較的長い寸法範囲に穿設したものとなしてあることは、係止金具を外壁材の適所に安全且つ適確に固定できる上で優れたものとなる。なお、上記化粧煉瓦１の凹部３は取付け作業時に使用されるボンド８などの接着剤が部分的に退避嵌入され、安定的な貼着作業に寄与するものとなる。
【００１１】
ところで、本願発明の上記化粧煉瓦の取付け作業では、化粧煉瓦の前面側上方部の断面Ｌ字状の切欠壁１ａに対し、上方へ配置される化粧煉瓦が取付けられたさいその背面側下方部に形成された段部ｂが重なり合う関係に当接されるものとなるのである。
【００１２】
上記に於ける化粧煉瓦の取付けでは、上下方向の関係で化粧煉瓦相互に形成される段部同志が垂直方向で係合状態にされるものとなり、従来経時的に発生し易い腹出現象の防止や不測な落下事故防止上などの点から二重の安全防止策が図られるものとなるのである。なお、該部の構成は下向きのためコーキング作業を行わないでも雨滴が逆流したりすることのないものとなるのである。
【図面の簡単な説明】
【００１３】
【図１】本発明で使用する化粧煉瓦を示すものであって、Ａは断面図、Ｂは背面図、Ｃは断面図である。
【図２】上記化粧煉瓦を取付けるために使用する係止金具の斜視図である。
【図３】作業状態説明図である。
【符号の説明】
【００１４】
１      化粧煉瓦
２      切溝
３      凹部
４      係止金具
５      外壁構造物
６      壁面板
７      止めネジ
【図１】
2007070849.tif 000003
【図２】
2007070849.tif 000004
【図３】
2007070849.tif 000005